【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
以下の一般構造：
【化１】
2005523941.tif 000001
を有するアミノ酸アナログ化合物であって、ここで、Ｒ１が、ＸまたはＸ−ＨＣ＝ＣＨ−またはＲ３であって、Ｒ２は、Ｈであるか、またはＲ１がＲ３である場合、Ｒ３であって、
【化２】
2005523941.tif 000002
を形成するように、
Ｒ３が
【化３】
2005523941.tif 000003
であって、
Ｒ４が、−ＣＨ３−（ＣｋＨ２ｋ＋１）、−（ＣｋＨ２ｋ−１）または−（ＣｋＨ２ｋ−３）であり、ここで、ｋは、２〜５であり、
ａが、１〜５であって、
ｘが、０または１であって、
ｙが、１または２であって、
ｚが、１，２，３または４およびｙが２である場合、ｚ＞ｙであって、
ｎが１およびｊが０である場合、ｑは１または０であって、
ｍが０である場合、ｎは、１または２であって、０ではなく、
ｍは、０または１であって、
ｊは、０、１、２または３であって、そして、
Ｘが、１８Ｆ、１２３Ｉ、１２４Ｉ、１２５Ｉ、１３１Ｉ、７５Ｂｒ、７６Ｂｒ、７７Ｂｒ、８２ＢｒまたはＡｔである、アミノ酸アナログ化合物。
【請求項２】
Ｒ１およびＲ２が、Ｒ３である、請求項１に記載の化合物。
【請求項３】
ｘが０であって、
ｙが１であって、
ｚが２であって、
ｑが１であって、
ｍが０およびｊが０である、請求項１に記載の化合物。
【請求項４】
Ｘが、１８Ｆまたは１２３Ｉである、請求項３に記載の化合物。
【請求項５】
Ｘが、１８Ｆである、請求項３に記載の化合物。
【請求項６】
Ｒ１およびＲ２が、Ｒ３であって、
ｘが０または１であって、
ｙが２であって、
ｚが４であって、
ｑが１であって、
ｍおよびｊが０であって、そして、Ｘが１８Ｆまたは１２３Ｉである、請求項１に記載の化合物。
【請求項７】
ｘが１およびＸが１８Ｆである、請求項６に記載の化合物。
【請求項８】
ｘが０およびＸが１２３Ｉである、請求項６に記載の化合物。
【請求項９】
ｘが１およびＸが１２３Ｉである、請求項６に記載の化合物。
【請求項１０】
Ｒ１およびＲ２がＲ３であって、
ｘが０であって、
ｙが１であって、
ｚが２であって、
ｑが０であって、
ｍが１であって、
ｎが１であって、
ｊが０およびＸが１８Ｆまたは１２３Ｉである、請求項１に記載の化合物。
【請求項１１】
Ｘが１８Ｆである、請求項１０に記載の化合物。
【請求項１２】
請求項１に記載の化合物であって、ここで、Ｒ１およびＲ２が、Ｒ３であって、
ｘが１であって、
ｙが１であって、
ｚが１であって、
ｑが０であって、
ｍおよびｊが０であって、そして、Ｘが１８Ｆまたは１２３Ｉである、化合物。
【請求項１３】
Ｘが１２３Ｉである、請求項１２に記載の化合物。
【請求項１４】
Ｒ１およびＲ２がＲ３であって、
ｘが０であって、
ｙが１であって、
ｚが２であって、
ｑが１であって、
ｍが１であって、
ｎが１であって、
ｊが１であって、および
Ｘが１８Ｆまたは１２３Ｉである、請求項１に記載の化合物。
【請求項１５】
Ｘが１２３Ｉである、請求項１４に記載の化合物。
【請求項１６】
請求項１に記載の化合物であって、ここで、Ｒ１およびＲ２がＲ３であって、
ｘが０であって、
ｙが１であって、
ｚが２であって、
ｑが０であって、
ｍが０であって、
ｊが１であって、そして、
Ｘが１８Ｆまたは１２３Ｉである、化合物。
【請求項１７】
Ｘが１２３Ｉである、請求項１６に記載の化合物。
【請求項１８】
Ｒ１およびＲ２がＲ３であって、
ｘが０または１であって、
ｙが２であって、
ｚが４であって、
ｑが１であって、
ｍが１であって、
ｎが１であって、
ｊが１であって、そして、
Ｘが１８Ｆまたは１２３Ｉである、請求項１に記載の化合物。
【請求項１９】
Ｘが１８Ｆである、請求項１８に記載の化合物。
【請求項２０】
Ｘが１２３Ｉである、請求項１８に記載の化合物。
【請求項２１】
請求項１に記載の化合物であって、ここで、Ｒ１およびＲ２がＲ３であって、
ｘが０または１であって、
ｙが２であって、
ｚが４であって、
ｑが０であって、
ｍが０であって、
ｊが１であって、および
Ｘが１８Ｆまたは１２３Ｉである、化合物。
【請求項２２】
Ｘが１８Ｆである、請求項２１に記載の化合物。
【請求項２３】
Ｘが１２３Ｉである、請求項２１に記載の化合物。
【請求項２４】
Ｒ１およびＲ２がＲ３ではない、請求項１に記載の化合物。
【請求項２５】
Ｘが１８Ｆである、請求項２４に記載の化合物。
【請求項２６】
Ｒ１がＸ−ＣＨ＝ＣＨ−、Ｒ２がＨ、ｙが１およびｚが２である、請求項１に記載の化合物。
【請求項２７】
Ｘが１２３Ｉである、請求項２６に記載の化合物。
【請求項２８】
Ｒ１が１８Ｆ、Ｒ２がＨ、ｙが１、ｚが２およびＲ４が−ＣＨ３である、請求項１に記載の化合物。
【請求項２９】
以下の一般構造：
【化１０】
2005523941.tif 000004
を有するアミノ酸アナログ化合物であって、ここで、Ｒ１がＺ、ａが１〜５、
およびＲ４が−ＣＨ３−（ＣｋＨ２ｋ＋１）、−（ＣｋＨ２ｋ−１）または−（ＣｋＨ２ｋ−３）であり、ここでは、ｋは、２〜５であり、そして
Ｒ２が−（ＣｋＨ２ｋ＋１）、−（ＣｋＨ２ｋ−１）または−（ＣｋＨ２ｋ−３）、
ｋが１〜５であって、
Ｚが
【化１１】
2005523941.tif 000005
または、
【化１２】
2005523941.tif 000006
であって、ここで、ｂが０、１または２であって、
ｘが０または１であって、
ｙが１または２であって、
ｚが１、２、３または４であり、およびｙが２である場合、ｚ＞ｙであって、
ｑが０または１であって、
Ｍ＝ＴｃまたはＲｅである、アミノ酸アナログ化合物。
【請求項３０】
以下の一般構造：
【化１３】
2005523941.tif 000007
を有する、アミノ酸アナログ化合物であって、
ここで、Ｒは、
【化１４】
2005523941.tif 000008
であり、
ａが、１、２または３であって、
ｂが、０、１または２であって、
ｘが、０または１であって、
ｙが、１または２であって、
ｚが、１、２、３または４であって、かつ、ｙが２であるとき、ｚ＞ｙであり、
ｑが、１または０であり、
Ｒ４は、−ＣＨ３−（ＣｋＨ２ｋ＋１）、−（ＣｋＨ２ｋ−１）または−（ＣｋＨ２ｋ−３）であり、ここで、ｋは、２〜５であり、そして、Ｚが、
【化１５−１】
2005523941.tif 000009
【化１５−２】
2005523941.tif 000010
である、アミノ酸アナログ化合物。
【請求項３１】
請求項３０に記載の化合物であって、Ｚが、
【化１６】
2005523941.tif 000011
である、化合物。
【請求項３２】
請求項３０に記載の化合物であって、Ｚが、
【化１７】
2005523941.tif 000012
である、化合物。
【請求項３３】
請求項３０に記載の化合物であって、Ｚが、
【化１８】
2005523941.tif 000013
であり、
ａが、１、２または３であって、
ｂが、０、１または２であって、
ｘが、０または１であって、
ｙが、１または２であって、
ｚが、１、２、３または４であって、かつ、ｙが２であるとき、ｚ＞ｙであり、
ｑが、１または０である、
化合物。
【請求項３４】
請求項３０に記載の化合物であって、ここで、Ｚが、
【化１９】
2005523941.tif 000014
である、化合物。
【請求項３５】
陽電子断層撮影法によるインサイチュ腫瘍画像化法に使用される、請求項１〜３４のいずれかに記載の化合物であって、該画像化法が、
腫瘍を有していることが疑われる被験体に、画像化量の該化合物を投与する工程；および
該被験体における該化合物の分布を陽電子断層撮影法によって測定する工程
を包含する、方法である、
化合物。
【請求項３６】
陽電子断層撮影法によるインサイチュ腫瘍画像化法のための組成物の製造における、請求項１〜３５のいずれかに記載の化合物の使用。